(57)【特許請求の範囲】
【請求項１】
放送波の受信信号の中から番組ジャンルを示すジャンルコードを取得する番組ジャンル取得部と、
前記ジャンルコードを含む数値で表された第１の番組情報を判別条件として適用し、視聴中の番組の第１の番組情報と、予めサーチした受信可能な放送波の番組の第１の番組情報を比較して、前記受信可能な放送波の番組の中から、前記視聴中の番組と同一の番組ジャンルの番組を判別する処理部と、
前記視聴中の番組の放送波の受信状況に応じて、前記処理部が判別した番組に切り替えるよう選局を制御する選局制御部と、
放送波の受信信号の中から番組の開始時刻および終了時刻を取得する番組開始・終了時刻取得部とを備え、
前記処理部は、前記予めサーチした受信可能な放送波の番組の中から、前記視聴中の番組と同一の番組ジャンルの番組が複数判別された場合に限り、前記開始時刻および終了時刻を含む数値で表された第２の番組情報を判別条件として適用し、前記視聴中の番組の第２の番組情報と、当該視聴中の番組と同一の番組ジャンルの番組の第２の番組情報とを比較して、前記視聴中の番組と同一の番組ジャンルの番組の中から、前記視聴中の番組と前記開始時刻および終了時刻が同一の番組を判別する
ことを特徴とする移動体用放送受信装置。
【請求項２】
放送波の受信信号の中から番組の番組名を取得する番組情報取得部を備え、
前記処理部は、前記予めサーチした受信可能な放送波の番組の中から、前記視聴中の番組と同一の番組ジャンルでかつ開始時刻および終了時刻が同一の番組が複数判別された場合に限り、前記番組情報取得部が取得した前記視聴中の番組の番組名と、当該視聴中の番組と同一の番組ジャンルでかつ開始時刻および終了時刻が同一の番組の番組名とを比較して、前記視聴中の番組と同一の番組ジャンルでかつ開始時刻および終了時刻が同一の番組の中から、前記視聴中の番組と番組名が一致または所定の閾値以上の類似度を有する番組を判別し、
前記選局制御部は、前記視聴中の番組の放送波の受信状況に応じて、前記処理部が判別した番組に切り替えるよう選局を制御する
ことを特徴とする請求項１記載の移動体用放送受信装置。
【請求項３】
前記処理部は、前記予めサーチした受信可能な放送波の番組の中から、前記視聴中の番組から切り替える選局候補を１つに絞れなかった場合、あるいは、前記視聴中の番組と同一の番組ジャンルの番組がなかった場合に限り、前記受信可能な放送波の受信強度に応じた優先順位、予め設定された番組ジャンルの優先順位、または、視聴履歴に応じた優先順位の少なくとも一つに従って、前記視聴中の番組から切り替える番組を判別することを特徴とする請求項２記載の移動体用放送受信装置。
【請求項４】
視聴中の番組の放送波の受信状況に応じて、前記視聴中の番組から切り替える番組を判別する移動体用放送受信装置の放送受信方法において、
受信可能な放送波の番組をサーチして、その番組ジャンルを示すジャンルコードを含む数値で表された第１の番組情報をチャンネルリストとして記憶し、
前記視聴中の番組の放送波の受信信号の中からその番組のジャンルコードを取得し、
前記第１の番組情報を判別条件として適用し、前記視聴中の番組の第１の番組情報と、前記チャンネルリストに記憶した受信可能な放送波の番組の第１の番組情報とを比較して、前記受信可能な放送波の番組の中から、前記視聴中の番組と同一の番組ジャンルの番組を判別し、
放送波の受信信号の中から番組の開始時刻および終了時刻を取得し、
予めサーチした前記受信可能な放送波の番組の中から、前記視聴中の番組と同一の番組ジャンルの番組が複数判別された場合に限り、前記開始時刻および終了時刻を含む数値で表された第２の番組情報を判別条件として適用し、前記視聴中の番組の第２の番組情報と、当該視聴中の番組と同一の番組ジャンルの番組の第２の番組情報とを比較して、前記視聴中の番組と同一の番組ジャンルの番組の中から、前記視聴中の番組と前記開始時刻および終了時刻が同一の番組を判別し、
前記視聴中の番組の放送波の受信状況に応じて、前記判別した番組を自動的に選局することを特徴とする放送受信方法。
【発明の詳細な説明】
【技術分野】
【０００１】
この発明は、車両などの移動体に搭載される移動体用放送受信装置および放送受信方法に関する。
【背景技術】
【０００２】
従来から、固定受信端末向けデジタル放送と移動体向けデジタル放送を同時に受信可能な放送受信装置がある。例えば、日本のデジタル放送の場合は、固定受信端末向けデジタル放送が１２セグ放送（フルセグ放送）であり、移動体向けデジタル放送が１セグ放送である。また、中国のデジタル放送の場合には、固定受信端末向けデジタル放送がＤＴＭＢ（Digital Terrestrial Multimedia Broadcast）であって、移動体向けデジタル放送は、ＣＭＭＢ（China Mobile Multimedia Broadcasting）である。
【０００３】
また、近年、固定受信端末向けデジタル放送と移動体向けデジタル放送とで同一内容の番組を同時に放送する、いわゆるサイマル放送も実現されている。
上記双方のデジタル放送を受信可能な移動体向けの放送受信装置では、例えば１２セグ放送で番組を視聴しながら移動して、１セグ放送の受信圏内であるが１２セグ放送の受信圏外になった場合、同一内容の番組が１セグ放送でサイマル放送されていれば、自動的に１セグ放送の同一内容の番組に切り替えられる。
一方、サイマル放送されていない場合は、最短時間での選局が優先されるため、１セグ放送で最初に受信可能として検出された放送の番組が選局される。
【０００４】
なお、特許文献１には、視聴者が興味を持つ内容の番組を自動的に選局する放送選局装置が開示されている。この装置では、視聴者に指定された所望の番組内容に関するキーワードを用いて、受信部で受信された放送の番組内容を検索することにより、視聴者が興味を持つ番組を判別している。
【先行技術文献】
【特許文献】
【０００５】
【特許文献１】特開平９−１９１２３５号公報
【発明の概要】
【発明が解決しようとする課題】
【０００６】
従来の移動体用放送受信装置は、例えば、固定受信端末向けデジタル放送で番組を視聴しながら移動して、移動体向けデジタル放送の受信圏内であるが固定受信端末向けデジタル放送の受信圏外になった場合、サイマル放送されていなければ、受信可能な番組として最初に検出された番組を選局していた。このため、それまで視聴していた番組とは異なるジャンルの番組が選局される可能性があり、番組の傾向が急に変化して視聴者に違和感を与える場合があるという課題があった。
また、番組内容に依らずに選局されるため、視聴者の好みに合わない番組への切り替えが多発する可能性がある。この場合、番組サーチのし直しも頻繁に行う必要があった。
【０００７】
一方、特許文献１に記載の発明では、視聴者が興味を持っている内容の番組を判別することができるが、番組内容に関するキーワードを用いて検索するので、キーワードに一致する番組が１つもなかった場合は、視聴者が興味を持つ内容の番組を選局することができないという課題があった。
また、特許文献１では、視聴者によるキーワードの指定が必須であることから、完全な自動化ができているとは言えず、利便性に欠けるものであった。
さらに、言語の異なる国を跨って移動する場合には、移動先の国の言語を知っていないと、キーワードの指定が正しく行えないという問題もある。
【０００８】
この発明は、上記のような課題を解決するためになされたもので、視聴者が興味を持つ内容の番組を適切かつ容易に選局できる移動体用放送受信装置および放送受信方法を得ることを目的とする。
【課題を解決するための手段】
【０００９】
この発明に係る移動体用放送受信装置は、放送波の受信信号の中から番組ジャンルを示すジャンルコードを取得する番組ジャンル取得部と、ジャンルコードを含む数値で表された第１の番組情報を判別条件として適用し、視聴中の番組の第１の番組情報と、予めサーチした受信可能な放送波の番組の第１の番組情報を比較して、受信可能な放送波の番組の中から、視聴中の番組と同一の番組ジャンルの番組を判別する処理部と、視聴中の番組の放送波の受信状況に応じて、処理部が判別した番組に切り替えるよう選局を制御する選局制御部と、放送波の受信信号の中から番組の開始時刻および終了時刻を取得する番組開始・終了時刻取得部とを備え、処理部は、予めサーチした受信可能な放送波の番組の中から、視聴中の番組と同一の番組ジャンルの番組が複数判別された場合に限り、開始時刻および終了時刻を含む数値で表された第２の番組情報を判別条件として適用し、視聴中の番組の第２の番組情報と、当該視聴中の番組と同一の番組ジャンルの番組の第２の番組情報とを比較して、視聴中の番組と同一の番組ジャンルの番組の中から、視聴中の番組と開始時刻および終了時刻が同一の番組を判別する。
【発明の効果】
【００１０】
この発明によれば、視聴者が興味を持つ内容の番組を適切かつ容易に選局できるという効果がある。
【図面の簡単な説明】
【００１１】
【図１】この発明の実施の形態１に係る移動体用放送受信装置の構成を示すブロック図である。
【図２】実施の形態１に係る移動体用放送受信装置の主要構成の詳細を示すブロック図である。
【図３】コンテント記述子のデータ構造を示す図である。
【図４】コンテント記述子における番組ジャンルの一覧を示す図である。
【図５】実施の形態１に係る移動体用放送受信装置の動作を示すフローチャートである。
【図６】ユーザ設定条件選局処理を示すフローチャートである。
【図７】ユーザ設定条件の一例を示す図である。
【図８】ジャンル変換表の一例を示す図である。
【発明を実施するための形態】
【００１２】
以下、この発明をより詳細に説明するため、この発明を実施するための形態について、添付の図面に従って説明する。
実施の形態１．
図１は、この発明の実施の形態１に係る移動体用放送受信装置の構成を示すブロック図であり、移動体（例えば車両）に搭載した移動体用放送受信装置を示している。
図１において、実施の形態１に係る移動体用放送受信装置１は、例えば固定受信端末向け放送と移動体向け放送を同時に受信可能な放送受信装置であり、チューナ１０，１１、選局制御部１２、分離部１３、映像音声デコーダ１４、映像音声出力部１５、番組情報抽出部１６および番組比較判定処理部１７を備える。
【００１３】
チューナ１０は、固定受信端末向けのデジタル放送を受信するチューナである。日本のデジタル放送であれば、１２セグ受信チューナに相当し、中国のデジタル放送では、ＤＴＭＢ受信チューナに相当する。
また、チューナ１１は、移動体向けのデジタル放送を受信するチューナである。日本のデジタル放送では、１セグ受信チューナに相当し、中国のデジタル放送では、ＣＭＭＢ受信チューナに相当する。
【００１４】
選局制御部１２は、チューナ１０，１１の中から選局を行うチューナを選択して、その動作を制御する。チューナ１０，１１に受信されたデジタル放送のＴＳ（トランスポートストリーム）信号は、選局制御部１２を介して分離部１３へ送られる。なお、ＴＳ信号には、映像・音声データに加え、その他の付加情報（システム情報）も含まれる。
また、選局制御部１２には、視聴中の番組の受信品質が劣化した際、切り替えの対象となる番組をまとめたチャンネルリストを有する。このチャンネルリストは、例えば、視聴中の番組の放送をチューナ１０が受信しているときに、チューナ１１で受信可能な番組をサーチした結果がリストアップされる。
【００１５】
分離部１３は、選局後の受信データ（ＴＳ信号）から、映像・音声データおよびその他の付加情報（システム情報）をそれぞれ分離する。
映像音声デコーダ１４は、分離部１３が分離した映像・音声データを復号する。
映像音声出力部１５は、映像音声デコーダ１４に復号された映像・音声データを、映像表示装置（モニタ；図１において不図示）に出力して映像表示および音声出力させる。
【００１６】
番組情報抽出部１６は、分離部１３が受信データから分離したシステム情報の中から、番組名、放送局名、番組開始・終了時刻、番組詳細情報、番組ジャンル、電子番組ガイド（ＥＰＧ）などの情報を抽出する。
番組比較判定処理部１７は、番組情報抽出部１６が抽出した情報に基づいて、チューナ１０，１１のうち、現在視聴中の番組の放送波を受信しているチューナの受信データから得られた番組情報と、もう一方のチューナの受信データから得られた番組情報を比較し、その比較結果を基にサイマル放送の有無および選局すべき番組を判定する処理部である。
この番組比較判定処理部１７が、現在視聴中の番組が受信できなくなったときに、次に選局すべき番組を選定して、選局制御部１２に指示を出す。選局制御部１２は、番組比較判定処理部１７からの指示に従い、選定された番組をチューナ１０，１１のうちのいずれかで選局するよう制御する。
【００１７】
図２は、実施の形態１に係る移動体用放送受信装置の主要構成の詳細を示すブロック図であり、番組情報抽出部１６および番組比較判定処理部１７のさらに細分化された機能ブロックを示している。図２に示すように、番組情報抽出部１６は、番組情報取得部１６１、番組ジャンル取得部１６２および番組開始・終了時刻取得部１６３を備える。
番組情報取得部１６１は、分離部１３が分離したシステム情報から、番組名および番組詳細情報を取得する。例えば、システム情報には、ＥＰＧを構成するデータ（ＥＰＧデータ）と、番組名、放送局名、番組開始・終了時刻、番組詳細情報および番組ジャンルなどが記述されたＥＩＴ（Event Information Table）が含まれている。番組情報取得部１６１は、システム情報におけるＥＩＴから、番組名および番組詳細情報を取得する。
番組ジャンル取得部１６２は、分離部１３が分離したシステム情報から、番組ジャンルを取得する。すなわち、ＥＩＴに含まれるコンテント記述子に記述された番組ジャンルが取得される。コンテント記述子については、図３を用いて後述する。
番組開始・終了時刻取得部１６３は、分離部１３が分離したシステム情報から、番組の開始時刻および終了時刻を取得する。例えば、ＥＩＴに記述された番組開始時刻とその番組継続時間から番組の開始時刻および終了時刻が取得される。
【００１８】
また、番組比較判定処理部１７は、ユーザ設定管理部１７１、視聴履歴管理部１７２、およびサイマル放送有無判定部１７３を備える。
ユーザ設定管理部１７１は、ユーザ（視聴者）の嗜好する番組ジャンルおよび選局の際に重要視する項目の優先順位を設定した情報を管理する。例えば、ユーザ設定管理部１７１が、番組ジャンルおよび選局の判断に使用する項目が記述された指定用画面を映像表示装置に表示させ、当該指定用画面を基に入力手段を用いた番組ジャンルや上記項目の指定を受け付けるＨＭＩ（Human Machine Interface）を提供する。ユーザ設定管理部１７１は、当該ＨＭＩを介して指定された番組ジャンルや上記項目を、ユーザごとに対応付けて記憶し管理する。
視聴履歴管理部１７２は、過去に視聴された番組の視聴履歴を生成して管理する管理部であり、例えば、視聴された番組の番組名、視聴された曜日、時間、選局情報（チャンネル番号）を収集して管理する。
サイマル放送有無判定部１７３は、チューナ１０が受信中のデジタル放送と同一内容の番組が同時に放送（サイマル放送）されているか否かを判定する。
選局制御部１２は、ユーザ設定管理部１７１、視聴履歴管理部１７２、およびサイマル放送有無判定部１７３により得られた情報に基づいて、次に選局すべき番組を判断する。
【００１９】
視聴中の番組の受信品質が劣化した場合に、視聴の途切れを防止するためには、迅速に受信可能な番組を選局する必要がある。
そこで、サイマル放送有無判定部１７３は、最初に行う第１の判定として、番組の内容を端的に表す“番組ジャンル”を判定基準とした簡易な判定を行う。すなわち、この判定で同一ジャンルの番組が１つだけに絞られた場合は、その番組をサイマル放送とみなして選局候補とする。このようにすることで、選局候補の番組が迅速に決定されて、視聴中の番組の受信品質が劣化した際に迅速な選局が可能である。
なお、実際にはサイマル放送されておらず、選局候補の番組が同一内容ではない場合であっても、それまで視聴していた番組と同一のジャンルであることから、視聴者の嗜好に合った番組である可能性が高く、番組の傾向が急に変わることに起因した違和感を与えることがない。
【００２０】
図３は、コンテント記述子のデータ構造を示す図であり、ＡＲＩＢ  ＳＴＤ−Ｂ１０（Association of Radio Industries and Business STD-B10）で規定されるデジタル放送のコンテント記述子を示している。番組ジャンル取得部１６２は、分離部１３に分離されたシステム情報のＴＳ信号から、コンテント記述子を読み取る。
図３において、コンテント記述子“ｃｏｎｔｅｎｔ＿ｎｉｂｂｌｅ＿ｌｅｖｅｌ＿１”は、番組ジャンルの大分類を示しており、コンテント記述子“ｃｏｎｔｅｎｔ＿ｎｉｂｂｌｅ＿ｌｅｖｅｌ＿２”は、番組ジャンルの中分類を示している。
これらはそれぞれ４ビットの数値を設定するフィールドを有し、番組のジャンルを表す“ジャンルコード”が設定される。なお、コンテント記述子“ｕｓｅｒ＿ｎｉｂｂｌｅ”は、放送事業者により定義されるジャンルを表す。
番組ジャンル取得部１６２は、コンテント記述子におけるジャンルコード（４ビットの数値）を番組ジャンルとして取得する。
【００２１】
図４は、コンテント記述子における番組ジャンルの一覧を示す図である。
図４（ａ）はＡ国（日本）およびＢ国（中国）におけるジャンルの大分類とこれを表すジャンルコードの一覧を示している。Ａ国（日本）の場合は、図４（ａ）に示すように、ジャンルの大分類が、“ニュース／報道”、“スポーツ”、“情報／ワイドショー”、“ドラマ”、“音楽”、“バラエティ”、“映画”、“アニメ／特撮”、“ドキュメンタリー／教養”、“劇場／公演”、“趣味／教育”、“福祉”であり、分類できないものは、“その他”として扱われる。
また、これら大分類は、それぞれジャンルコード０ｘ０〜０ｘＢ，０ｘＦで表される。なお、ジャンルコード０ｘＣ，０ｘＤは、将来のジャンル追加のための“予備”となり、ジャンルコード０ｘＥは、“拡張”として図３の“ｕｓｅｒ＿ｎｉｂｂｌｅ”を参照するための指示分類が定義される。
一方、Ｂ国の場合、Ａ国とは異なるジャンルの大分類もあるが、Ａ国と同様に４ビットのジャンルコードで表現される。ただし、図４（ａ）に示すように、Ａ国とＢ国とでは、大分類とジャンルコードとの対応関係は異なる。
【００２２】
番組ジャンルには、図４（ｂ）のように中分類もある。
例えば、ジャンルコード０ｘ０で表されるジャンル大分類“ニュース／報道”の場合、中分類には、“定時・総合”、“天気”、“特集・ドキュメント”、“政治・国会”、“経済・市況”がある。これらの中分類は、それぞれジャンルコード０ｘ０〜０ｘ４で表される。例えば、ジャンル大分類“ニュース／報道”における中分類“天気”は、大分類が０ｘ０、中分類が０ｘ１のジャンルコードで指定することができる。
また、ジャンルコード０ｘ１で表されるジャンル大分類“スポーツ”の場合、中分類には、“スポーツニュース”、“野球”、“サッカー”、“ゴルフ”、“その他の球技”、“相撲・格闘技”、“オリンピック・国際大会”、“マラソン・陸上・水泳”、“モータースポーツ”、“マリン・ウィンタースポーツ”、“競馬・公営競技”がある。
これらの中分類は、それぞれジャンルコード０ｘ０〜０ｘＢで表される。例えば、ジャンル大分類“スポーツ”における中分類“ゴルフ”は、大分類が０ｘ１、中分類が０ｘ４のジャンルコードで指定することができる。
【００２３】
次に動作について説明する。
（１）サイマル放送の有無の判定処理
図５は、実施の形態１に係る移動体用放送受信装置の動作を示すフローチャートであり、視聴中の番組にサイマル放送があるか否かを判別する処理を示している。
ここでは、チューナ１０が受信している放送の番組を視聴し、チューナ１１で常に受信可能な番組のチャンネルスキャンとその番組情報の取得を実施している。
なお、チューナ１０が放送を受信中にバックグラウンドで実施するチューナ１１によるチャンネルスキャンを“裏スキャン”と呼ぶ。この裏スキャンでサーチされた受信可能な番組およびその番組情報は、選局制御部１２のチャンネルリストに格納される。
【００２４】
番組ジャンル取得部１６２は、チューナ１０が受信している番組の受信品質を示す指標値が所定の閾値を下回ると、当該番組のシステム情報のＴＳ信号に含まれる番組ジャンルを取得する。すなわち、番組ジャンル取得部１６２が、現在視聴中の番組のＴＳ信号からコンテント記述子を読み取り、そのジャンルコードのデジタル値を取得してサイマル放送有無判定部１７３へ送る。
サイマル放送有無判定部１７３は、チャンネルリストに格納されている番組（切り替え候補）の番組情報からジャンルコードを順次取得する（ステップＳＴ１）。
【００２５】
次に、サイマル放送有無判定部１７３は、番組ジャンル取得部１６２が取得した視聴中の番組のジャンルコードと、チャンネルリストに格納された番組のジャンルコードを比較し、視聴中の番組とジャンルが一致する番組がチャンネルリストに存在するか否かを判定する（ステップＳＴ２）。この判定は、チャンネルリストに格納されている全ての番組について実施される。
また、原則、番組ジャンルにおける大分類と中分類の両方が一致した場合に、ジャンルが一致したと判定するが、チャンネルリストに大分類と中分類の両方が一致する番組がなかった場合には、大分類だけ一致し中分類が任意である番組を、ジャンルが一致した番組と判定する。
【００２６】
ここで、チャンネルリストに視聴中の番組とジャンルが一致する番組が存在しない場合（ステップＳＴ２；ＮＯ）、ステップＳＴ１０のユーザ設定条件選局処理へ移行する。
また、チャンネルリストに視聴中の番組とジャンルが一致する番組が存在する場合（ステップＳＴ２；ＹＥＳ）、サイマル放送有無判定部１７３は、視聴中の番組とジャンルが一致する番組が、チャンネルリストに複数あるか否かを判定する（ステップＳＴ３）。
【００２７】
チャンネルリストに視聴中の番組とジャンルが一致する番組が１つだけ存在する場合（ステップＳＴ３；ＮＯ）、サイマル放送有無判定部１７３は、当該番組が視聴中の番組のサイマル放送であると判定し、その旨を選局制御部１２へ通知する。
選局制御部１２は、現在視聴中の番組の放送をチューナ１０が受信できなくなった場合（例えば、受信圏外に移動した場合）、チューナ１１のチャンネルスキャンを停止させ、番組の視聴を行うチューナをチューナ１１に切り替えて、サイマル放送有無判定部１７３から通知された番組を選局させる（ステップＳＴ４）。このようにすることで、視聴中の番組が受信できなくなった際に、引き続き同一内容の番組を視聴できる。
このとき、選局した番組がサイマル放送ではなかった場合でも、それまで視聴していた番組と同一のジャンルであることから、視聴者の嗜好に合った番組である可能性が高く、番組の傾向が急に変わることに起因した違和感を与えることがない。
また、ジャンルコードの数値比較によって選局候補を決定できるので、文字エンコードの指定の違いによる文字化けや、サポートしていない文字コードを考慮する必要がなく、確実に選局候補を絞ることが可能である。
なお、チューナ１１で受信可能な番組が１つもスキャンできなかった場合は、そもそもチューナ１１に切り替える必要がないため、裏スキャンを継続することになる。
【００２８】
一方、チャンネルリストに視聴中の番組とジャンルが一致する番組が複数存在する場合（ステップＳＴ３；ＹＥＳ）、サイマル放送有無判定部１７３は、番組開始・終了時刻取得部１６３が取得した視聴中の番組の開始時刻および終了時刻と、チャンネルリストに格納されたジャンルが一致する番組の開始時刻および終了時刻とを比較して、視聴中の番組と開始時刻および終了時刻が一致する番組が存在するか否かを判定する（ステップＳＴ５）。ここで、チャンネルリストに視聴中の番組と開始時刻および終了時刻が一致する番組が存在しない場合（ステップＳＴ５；ＮＯ）、ステップＳＴ１０のユーザ設定条件選局処理へ移行する。
【００２９】
チャンネルリストに格納されたジャンルが一致する番組の中に、視聴中の番組と開始時刻および終了時刻が一致する番組が存在する場合（ステップＳＴ５；ＹＥＳ）、サイマル放送有無判定部１７３は、視聴中の番組とジャンルが一致しかつ開始時刻および終了時刻も一致する番組が１つだけであるか否かを判定する（ステップＳＴ６）。
視聴中の番組とジャンルが一致しかつ開始時刻および終了時刻も一致する番組が１つだけ存在する場合（ステップＳＴ６；ＹＥＳ）、サイマル放送有無判定部１７３は、当該番組が視聴中の番組のサイマル放送であると判定し、その旨を選局制御部１２へ通知する。
選局制御部１２は、視聴中の番組の放送をチューナ１０が受信できなくなった場合に、チューナ１１によるチャンネルスキャンを停止させ、番組の視聴するチューナをチューナ１０からチューナ１１に切り替えて、サイマル放送有無判定部１７３から通知された番組を選局させる（ステップＳＴ７）。このようにすることで、視聴中の番組が受信できなくなった際に、引き続き同一内容の番組を視聴できる。
また、番組の開始時刻および終了時刻に関する数値比較によって選局候補を決定できるので、ジャンルコードの場合と同様に、文字エンコードの指定の違いによる文字化けや、サポートしていない文字コードを考慮する必要がなく、確実に選局候補を絞ることが可能である。
【００３０】
視聴中の番組とジャンルが一致し、かつ開始時刻および終了時刻も一致する番組が複数存在する場合（ステップＳＴ６；ＮＯ）、サイマル放送有無判定部１７３は、番組情報取得部１６１が取得した視聴中の番組の番組名と、チャンネルリストに格納されたジャンルが一致しかつ開始時刻および終了時刻も一致する番組の番組名とを比較して、チャンネルリストにおいて、視聴中の番組と番組名が一致または類似するものが１つだけあるか否かを判定する（ステップＳＴ８）。
ここでは、視聴中の番組の番組名の文字列とチャンネルリストに格納されている番組の番組名の文字列との一致度合いを示す類似度を算出し、チャンネルリストにおける視聴中の番組とジャンルが一致しかつ開始時刻および終了時刻も一致する番組の中から、この類似度が所定の閾値以上のものを判別する。類似度の算出方法は、様々なものが考えられるが、例えば文字列を構成する文字を順に比較して一致する文字数から類似度を算出する。
このように類似度で判断するのは、サイマル放送であっても互いに全く同一の番組名が設定されているとは限らないからである。つまり、同じ内容の番組同士であっても、一方の放送では番組名の一部を省略したものが設定されることがある。
【００３１】
ステップＳＴ８における判定は、文字列の比較を行うため、ジャンルコードや開始時刻および終了時刻の判定に比べて処理時間が長くなる可能性がある。
しかしながら、視聴中の番組とジャンルが一致し、かつ開始時刻および終了時刻も一致する番組が複数存在する場合は非常に希である。
また、ジャンルコードや開始時刻および終了時刻の判定で絞り込みを行った後に文字列の比較を行うので、判定対象の番組が十分に絞り込まれており、最初に選局候補の絞り込みを行う基準に“番組名”を用いる場合に比べて、文字列比較に要する時間を格段に短縮することができる。
【００３２】
チャンネルリストにおいて、視聴中の番組とジャンルが一致し、開始時刻と終了時刻も一致し、番組名が一致または類似している番組が１つだけ存在する場合（ステップＳＴ８；ＹＥＳ）、サイマル放送有無判定部１７３は、当該番組が視聴中の番組のサイマル放送であると判定し、その旨を選局制御部１２へ通知する。
選局制御部１２は、視聴中の番組の放送をチューナ１０が受信できなくなった場合に、チューナ１１によるチャンネルスキャンを停止させ、番組の視聴するチューナをチューナ１０からチューナ１１に切り替えて、サイマル放送有無判定部１７３から通知された番組を選局させる（ステップＳＴ９）。このようにすることで、視聴中の番組が受信できなくなった際に、引き続き同一内容の番組を視聴できる。
また、視聴中の番組とジャンルが一致し、開始時刻と終了時刻も一致し、番組名が一致または類似している番組が複数存在する場合（ステップＳＴ８；ＮＯ）は、ステップＳＴ１０のユーザ設定条件選局処理へ移行する。
【００３３】
（２）ユーザ設定条件選局処理
図６は、ユーザ設定条件選局処理を示すフローチャートであり、図５中のステップＳＴ１０の処理に相当する。
まず、サイマル放送有無判定部１７３は、選局制御部１２におけるチャンネルリストを参照して、裏スキャンによりチューナ１１で受信可能な番組（選局候補）があるか否かを判定する（ステップＳＴ１ａ）。ここで、チャンネルリストに選局候補がない場合（ステップＳＴ１ａ；ＮＯ）、サイマル放送有無判定部１７３は、選局制御部１２に指示して、チューナ１１による裏スキャンを継続させる（ステップＳＴ３ａ）。このとき、サイマル放送有無判定部１７３は、選局制御部１２のチャンネルリストを常に参照して、受信可能な番組（選局候補）が検出されたか否かを判定する（ステップＳＴ４ａ）。
この裏スキャンにより選局候補が検出されなかった場合（ステップＳＴ４ａ；ＮＯ）、サイマル放送有無判定部１７３は、選局制御部１２に指示して、ユーザにより裏スキャンがキャンセルされるまで、チューナ１１による裏スキャンを継続させる（ステップＳＴ５ａ）。このとき、裏スキャンがキャンセルされれば（ステップＳＴ５ａ；ＹＥＳ）、処理を終了する。また、裏スキャンがキャンセルされない間（ステップＳＴ５ａ；ＮＯ）は、ステップＳＴ３ａに戻り、上述の処理を繰り返す。
【００３４】
チャンネルリストに複数の選局候補があった場合（ステップＳＴ１ａ；ＹＥＳ）、あるいは裏スキャンにより複数の選局候補が検出された場合（ステップＳＴ４ａ；ＹＥＳ）、サイマル放送有無判定部１７３は、チャンネルリストにおける複数の選局候補の中から、ユーザ設定管理部１７１に管理されるユーザが設定した優先順位が１位の条件に基づいて選局候補を判定する（ステップＳＴ２ａ）。ユーザが選局候補の判定で優先する条件は、様々なものが考えられる。例えば、ユーザが番組ジャンルの大分類の好みの優先順位を、ユーザ設定管理部１７１に予め設定しておいてもよい。また、番組ジャンルには、図４に示したように“中分類”もあるので、大分類の優先順位に加えて、その中分類にも詳細に優先順位を設定してもよい。
なお、ユーザが好まない条件をユーザ設定管理部１７１に設定し、この条件に合致する番組を選局候補から排除するようにしてもよい。
【００３５】
また、放送波の受信電界強度に応じた優先順位を設定してもよい。
例えば、選局制御部１２が、裏スキャンにより検出された受信可能な番組を、その放送波の受信電界強度とともにチャンネルリストに登録する。
ユーザ設定管理部１７１が、チャンネルリストを参照して所定の閾値レベル以上の受信電界強度の番組を判別し、判別結果の番組に対して受信電界強度が大きい順に優先順位を付与する。
サイマル放送有無判定部１７３は、この優先順位に従って、視聴中の番組のジャンルと一致する番組がない場合、視聴中の番組のジャンルと一致する番組はあるが開始時刻および終了時刻が一致しない場合、あるいは視聴中の番組とジャンルが一致し開始時刻と終了時刻も一致し番組名も一致または類似している番組が複数存在する場合に、受信電界強度が最も大きい番組を判別する。
次に、サイマル放送有無判定部１７３は、判別した番組が視聴中の番組から切り替えるべき選局候補であると判定し、その旨を選局制御部１２へ通知する。
選局制御部１２は、視聴中の番組の放送をチューナ１０が受信できなくなった場合に、チューナ１１によるチャンネルスキャンを停止させ、番組の視聴するチューナをチューナ１０からチューナ１１に切り替えて、サイマル放送有無判定部１７３から通知された番組を選局させる。
なお、放送波の受信状況が悪く途切れ途切れの映像しか表示できない場合であっても、ユーザは、その番組の視聴を続けたい場合がある。この場合、ユーザ設定管理部１７１における“受信電界強度に応じた優先順位”を選局候補の決定に使用する順位を下げ、“ユーザが設定した好みの番組ジャンル”を選局候補の決定に使用する順位を上げることで、上記番組の視聴を継続することが可能である。
【００３６】
また、視聴履歴に基づく優先順位を設定してもよい。
視聴履歴管理部１７２が、ユーザが視聴した番組の放送をチューナ１０が受信するごとに、チューナ１０が受信した番組のシステム情報から当該番組が放送された曜日、時間、チャンネル番号を取得して視聴履歴を生成する。この視聴履歴には、少なくとも視聴回数に応じた優先順位が付与されている。
サイマル放送有無判定部１７３は、この優先順位に従って、視聴中の番組のジャンルと一致する番組がない場合、視聴中の番組のジャンルと一致する番組はあるが開始時刻および終了時刻が一致しない場合、あるいは視聴中の番組とジャンルが一致し開始時刻と終了時刻も一致し番組名も一致または類似している番組が複数存在する場合に、視聴の回数に応じた優先順位が最も高い番組を判別する。
次に、サイマル放送有無判定部１７３は、判別した番組が視聴中の番組から切り替えるべき選局候補であると判定し、その旨を選局制御部１２へ通知する。
選局制御部１２は、視聴中の番組の放送をチューナ１０が受信できなくなった場合に、チューナ１１によるチャンネルスキャンを停止させ、番組の視聴するチューナをチューナ１０からチューナ１１に切り替えて、サイマル放送有無判定部１７３から通知された番組を選局させる。このようにすることで、ユーザの好みに近い番組を自動的に選局することができる。
【００３７】
また、上述の設定条件を点数化（重み付け）して選局候補の決定に使用してもよい。
図７は、ユーザ設定条件の一例を示す図である。図７に示す例では、受信電界強度（受信強度）を重要視し、重み付けの倍率を５倍とする。ジャンルは、受信強度の次に重要視し、重み付けの倍率を３倍とする。また、視聴履歴（履歴）に関してはあまり重視せず、重み付け倍率を１倍とする。なお、この重み付け倍率は、ユーザが設定する。
ユーザ設定管理部１７１は、ユーザ設定条件の各項目を番組別に点数化し、さらに重み付け倍率を乗算して、総合した点数を算出する。
例えば、番組Ｃの場合には、受信電界強度に応じた優先順位に基づいて“受信強度”を１０点とし、番組ジャンルの好みに応じた優先順に基づいて“ジャンル”を２点とし、視聴回数に応じた優先順位に基づいて“履歴”を１点とする。さらに、上記重み付け倍率を乗算して総合点数を算出する。ここでは、受信強度を重要視しており、（１０×５）＋（２×３）＋（１×１）＝５７から、指標値５７点が得られる。他の番組についても同様に点数化する。サイマル放送有無判定部１７３は、このようにして得られた総合点数が最も高い番組を選局候補に決定する。図７では、番組Ｃが選局候補となる。
【００３８】
（３）ジャンル変換表について
各国のデジタル放送では、番組ジャンルの分類の種類とそのジャンルコードの割り当てが異なる場合がある。この場合、上述のように番組ジャンルを基準として選局候補を決定する処理を放送規格が異なる国を跨って行うには、番組の分類とジャンルコードとの対応関係を移動先の国に合わせる必要がある。
そこで、本発明では、番組ジャンル取得部１６２が、図８に示すようなジャンル変換表を参照して、番組の分類とジャンルコードとの対応関係を移動先の国に合わせる。
【００３９】
図８（ａ）は、Ａ国からＢ国へのジャンル変換表を示しており、表中の“ジャンル大分類”は、図４（ａ）に示したＡ国の放送規格で規定されるジャンルの分類（大分類）であり、“Ａ国ジャンルコード”は、各分類に対応するジャンルコードである。また、“Ｂ国ジャンルコード”は、図４（ａ）に示したＢ国の放送規格で規定されるジャンルの分類のジャンルコードを、Ａ国の対応する分類に割り当てたものである。
例えば、Ａ国では“ニュース／報道”というジャンル大分類にジャンルコード０ｘ０が割り当てられているが、Ｂ国ではジャンルコード０ｘ２が割り当てられている。
また、Ｂ国の“音楽／バレエ／ダンス”および“ショー”という分類は、Ａ国における“劇場／公演”という分類に相当するものとして、ジャンルコード０ｘ６，０ｘ３が割り当てられている。
図８（ｂ）に示す具体例は、ヨーロッパの放送規格で規定されたジャンルから、日本の放送規格で規定されたジャンルへのジャンル変換表を示している。図８（ｂ）に示すように、ヨーロッパでは“ニュース／報道”というジャンル大分類にジャンルコード０ｘ２が割り当てられているが、日本ではジャンルコード０ｘ０が割り当てられている。
また、ヨーロッパの“映画／ドラマ”という分類は、日本の“映画”と“ドラマ”という分類に相当するものとして、ジャンルコード０ｘ６，０ｘ３が割り当てられている。
日本を含む世界各国のデジタル放送の放送規格には、放送波に多重される番組ジャンルを示すジャンルコードが、８ビットのタグ（図３の記述子タグ；descriptor_tag）で判別できるコンテント記述子に記述されている。従って、図８に示すようなジャンル変換表を用いることで、移動先の国においても番組ジャンルを判別することができる。
【００４０】
例えば、Ａ国における裏スキャンでチャンネルリストを得た状態でＢ国に移動した場合に、サイマル放送有無判定部１７３は、番組ジャンル取得部１６２により取得された視聴中の番組のジャンルコードを入力すると、図８（ａ）に示すようなジャンル変換表を参照して、Ａ国で得たチャンネルリストにおける番組のジャンルコードを、移動先のＢ国のジャンルコードに変換する。これにより、サイマル放送有無判定部１７３は、移動先のＢ国の放送規格で規定されたジャンルコードを用いて、図５のステップＳＴ２におけるジャンル一致の判定を適切に行うことができる。
なお、図８の例では、ジャンル大分類のみをマッピングした変換表を用いる場合を示したが、中分類まで詳細にマッピングしたジャンル変換表を用いてもよい。
【００４１】
以上のように、この実施の形態１によれば、放送波の受信信号の中から番組ジャンルを示すジャンルコードを取得する番組ジャンル取得部１６２と、番組ジャンル取得部１６２が取得した視聴中の番組のジャンルコードと、予めサーチした受信可能な放送波の番組のジャンルコードを比較して、受信可能な放送波の番組の中から視聴中の番組と同一の番組ジャンルの番組を判別する番組比較判定処理部１７と、視聴中の番組の放送波の受信状況に応じて、番組比較判定処理部１７が判別した番組の受信に切り替えるように選局を制御する選局制御部１２とを備える。
このように、視聴中の番組と同じジャンルの番組を選局することにより、視聴者（ユーザ）の嗜好に近い番組をユーザの手を煩わせずに選択することができる。
また、番組名を直接比較してサイマル放送であるか否かを判断する場合、言語の違いや文字化けによって文字列の単純比較が困難な場合があり、選局に時間がかかっていた。
本発明では、まず始めにジャンルコードの数値比較によってサイマル放送か否かを判断するので、少なくとも同じジャンルの番組を正しく判別することが可能になる。
すなわち、偶然、サイマル放送ではないが、同じジャンルの番組が存在していた場合であっても切り替え前後で同じジャンルの番組が選局されるので、ユーザの嗜好に近い番組を選局できる。
従来では、サイマル放送がない場合、放送局のサーチを行い、最短時間で選局できるようにするため、最初に受信できた番組を選局していた。このような選局方法では、視聴中の番組を受信状況に応じて切り替える際、ジャンルが異なる番組に切り替わる可能性があり、ユーザの嗜好に近い番組を選局できているとは限らなかった。
これに対して、本発明では、ニュースやバラエティ等の番組のジャンルを変えずに選局を行うことができるので、ユーザの嗜好に近い、すなわちユーザが視聴を継続したい番組に近い内容の番組を選局することが可能になる。
【００４２】
また、この実施の形態１によれば、番組比較判定処理部１７が、番組ジャンル取得部１６２が取得した視聴中の番組のジャンルコードと、予めサーチした受信可能な放送波の番組のジャンルコードとを比較して、受信可能な放送波の番組の中から視聴中の番組と番組ジャンルの大分類が同一の番組を判別する。このようにすることで、簡易な数値比較に基づいて、ユーザの嗜好に近い番組を自動的に選局することが可能となる。
【００４３】
さらに、この実施の形態１によれば、番組比較判定処理部１７が、異なる放送規格ごとの番組ジャンルの分類およびそのジャンルコードの対応関係が規定されたジャンル変換表を備え、当該ジャンル変換表を参照して、予めサーチした受信可能な放送波の番組のジャンルコードを、受信された放送波の放送規格に対応するジャンルコードに変換する。
このようにすることで、ジャンルの分類とジャンルコードのマッピングが異なる場合であっても、同じジャンルの番組を正しく検索して選局することが可能となる。主に放送規格が異なる国を跨って移動する場合に有効である。
【００４４】
さらに、この実施の形態１によれば、放送波の受信信号の中から番組の開始時刻及び終了時刻を取得する番組開始・終了時刻取得部１６３を備え、番組比較判定処理部１７が、予めサーチした受信可能な放送波の番組の中から視聴中の番組と同一の番組ジャンルの番組が複数判別された場合、番組開始・終了時刻取得部１６３が取得した視聴中の番組の開始時刻および終了時刻と、当該視聴中の番組と同一の番組ジャンルの番組の開始時刻および終了時刻を比較して、視聴中の番組と同一の番組ジャンルの番組の中から視聴中の番組と開始時刻および終了時刻が同一の番組を判別し、選局制御部１２が、視聴中の番組の放送波の受信状況に応じて、番組比較判定処理部１７が判別した番組に切り替えるよう選局を制御する。このようにすることで、番組名や番組詳細情報の文字列の比較をすることなく、ユーザの嗜好に近い番組を絞り込むことが可能になる。
【００４５】
さらに、この実施の形態１によれば、放送波の受信信号の中から番組の番組名を取得する番組情報取得部１６１を備え、番組比較判定処理部１７が、予めサーチした受信可能な放送波の番組の中から、視聴中の番組と同一の番組ジャンルでかつ開始時刻および終了時刻が同一の番組が複数判別された場合、番組情報取得部１６１が取得した視聴中の番組の番組名と、当該視聴中の番組と同一の番組ジャンルでかつ開始時刻および終了時刻が同一の番組の番組名を比較して、視聴中の番組と同一の番組ジャンルでかつ開始時刻および終了時刻が同一の番組の中から視聴中の番組と番組名が一致または所定の閾値以上の類似度を有する番組を判別し、選局制御部１２が、視聴中の番組の放送波の受信状況に応じて、番組比較判定処理部１７が判別した番組に切り替えるよう選局を制御する。
このように番組ジャンルと開始時刻および終了時刻とで絞り込んだ上で最後に番組名の文字列の比較をすることによって、最初に検索するキーを番組名とする場合と比べて文字列比較にかかる処理時間を短縮することができる。
【００４６】
さらに、この実施の形態１によれば、番組比較判定処理部１７が、予めサーチした受信可能な放送波の番組の中から、視聴中の番組から切り替える選局候補を１つに絞れなかった場合、あるいは、視聴中の番組と同一の番組ジャンルの番組がなかった場合に、受信可能な放送波の受信強度に応じた優先順位、予め設定されたジャンルの優先順位、および、視聴履歴に応じた優先順位の少なくとも一つに従って、視聴中の番組から切り替える番組を判別する。このように、選局条件に、受信強度に応じた優先順位、ユーザに設定された番組ジャンルの優先順位、および、視聴履歴に応じた優先順位を加味することで、受信条件がよく、またユーザの嗜好に一致した番組を選局することが可能になる。
【００４７】
上記実施の形態１では、本発明に係る移動体用放送受信装置を、車載用のデジタル放送受信装置に適用した場合を示したが、車載用のみならず、車両、鉄道、船舶又は航空機等の移動体に、人が携帯して持ち込んで使用される携帯電話端末又は携帯情報端末（ＰＤＡ；Personal Digital Assistance）に適用してもよい。
【００４８】
なお、本発明はその発明の範囲内において、実施の形態の任意の構成要素の変形、もしくは実施の形態の任意の構成要素の省略が可能である。
【符号の説明】
【００４９】
１  放送受信装置、１０，１１  チューナ、１２  選局制御部、１３  分離部、１４  映像音声デコーダ、１５  映像音声出力部、１６  番組情報抽出部、１７  番組比較判定処理部、１６１  番組情報取得部、１６２  番組ジャンル取得部、１６３  番組開始・終了時刻取得部、１７１  ユーザ設定管理部、１７２  視聴履歴管理部、１７３  サイマル放送有無判定部。
【図１】
0005583279.tif 000002
【図２】
0005583279.tif 000003
【図３】
0005583279.tif 000004
【図４】
0005583279.tif 000005
【図５】
0005583279.tif 000006
【図６】
0005583279.tif 000007
【図７】
0005583279.tif 000008
【図８】
0005583279.tif 000009